【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
画像を取り込む画像取込手段と、
前記画像取込手段により取り込まれた画像内から人物の顔画像を検出する顔画像検出手段と、
前記顔画像検出手段により検出された各顔画像の撮影構図上の重要性の評価、又は、同一人物が写っている他の画像の数に基づいて、該各顔画像に対してマスク処理を施すか否かを判断する自動マスク判断手段と、
前記画像取込手段により取り込まれた画像に対して、前記自動マスク判断手段によりマスク処理を施すと判断された顔画像の領域にマスク処理を施した画像を外部機器に送出し、又は、前記画像取込手段により取り込まれた画像、及び、前記自動マスク判断手段によりマスク処理を施すと判断された顔画像の領域を示す情報を外部機器に送出する送出手段と、
を備えたことを特徴とする画像処理装置。
【請求項２】
画像を取り込む画像取込手段と、
前記画像取込手段により取り込まれた画像内から人物の顔画像を検出する顔画像検出手段と、
前記顔画像検出手段により顔画像として検出された各領域を識別可能に表示した画面であって、前記顔画像検出手段により検出された各顔画像に対してマスク処理を施すか否かの判断をユーザが入力するための操作画面を表示する表示手段と、
前記表示手段の画面上でのユーザの操作に従って前記顔画像検出手段により検出された各顔画像に対してマスク処理を施すか否かを判断する手動マスク判断手段と、
前記画像取込手段により取り込まれた画像に対して、前記手動マスク判断手段によりマスク処理を施すと判断された顔画像の領域にマスク処理を施した画像を外部機器に送出し、又は、前記画像取込手段により取り込まれた画像、及び、前記手動マスク判断手段によりマスク処理を施すと判断された顔画像の領域を示す情報を外部機器に送出する送出手段と、
を備えたことを特徴とする画像処理装置。
【請求項３】
画像を取り込む画像取込手段と、
前記画像取込手段により取り込まれた画像内から人物の顔画像を検出する顔画像検出手段と、
前記顔画像検出手段により検出された各顔画像に対してマスク処理を施すか否かを自動で判断する自動マスク判断手段と、
前記顔画像検出手段により顔画像として検出された各領域を識別可能に表示すると共に、前記自動マスク判断手段によりマスク処理を施すと判断された顔画像の領域と、マスク処理を施さないと判断された顔画像の領域とを識別可能に表示する画面であって、前記顔画像検出手段により検出された各顔画像に対してマスク処理を施すか否かの判断をユーザが入力するための操作画面を表示する表示手段と、
前記顔画像検出手段により検出された各顔画像に対してマスク処理を施すか否かの前記自動マスク判断手段による判断結果を、前記表示手段の画面上でのユーザの操作に従って修正し、前記顔画像検出手段により検出された各顔画像に対してマスク処理を施すか否かの判断を行う手動マスク判断手段と、
前記画像取込手段により取り込まれた画像に対して、前記手動マスク判断手段によりマスク処理を施すと判断された顔画像の領域にマスク処理を施した画像を外部機器に送出し、又は、前記画像取込手段により取り込まれた画像、及び、前記手動マスク判断手段によりマスク処理を施すと判断された顔画像の領域を示す情報を外部機器に送出する送出手段と、
を備えたことを特徴とする画像処理装置。
【請求項４】
前記自動マスク判断手段は、前記顔画像検出手段により検出された各顔画像の大きさ、数、画角内の位置、又は、顔の向きに基づいて、各顔画像についてマスク処理を施すか否かを判断することを特徴とする請求項１の画像処理装置。
【請求項５】
前記自動マスク判断手段は、判断対象の画像に対して前記顔画像検出手段により検出された各顔画像と同一人物の顔画像が、既に記録されている他の画像の所定数以上に写っているか否かによってマスク処理を施すか否かを判断することを特徴とする請求項１の画像処理装置。
【請求項６】
前記画像取込手段により取り込まれる画像が複数のフレーム画像からなる動画である場合に、前記自動マスク判断手段は、各フレーム画像に対して前記顔画像検出手段により検出された同一人物の顔画像が所定数以上のフレーム画像に写っているか否かによってマスク処理を施すか否かを判断することを特徴とする請求項１の画像処理装置。
【請求項７】
前記自動マスク判断手段は、前記顔画像検出手段により検出された各顔画像の大きさ、数、画角内の位置、又は、顔の向きに基づいて、各顔画像についてマスク処理を施すか否かを判断することを特徴とする請求項３の画像処理装置。
【請求項８】
前記自動マスク判断手段は、判断対象の画像に対して前記顔画像検出手段により検出された各顔画像と同一人物の顔画像が、既に記録されている他の画像の所定数以上に写っているか否かによってマスク処理を施すか否かを判断することを特徴とする請求項３の画像処理装置。
【請求項９】
前記画像取込手段により取り込まれる画像が複数のフレーム画像からなる動画である場合に、前記自動マスク判断手段は、各フレーム画像に対して前記顔画像検出手段により検出された同一人物の顔画像が所定数以上のフレーム画像に写っているか否かによってマスク処理を施すか否かを判断することを特徴とする請求項３の画像処理装置。
【請求項１０】
前記画像取込手段により１つの画像が取り込まれると、前記顔画像検出手段により検出された各顔画像に対して前記表示手段によりマスク処理を施すか否かの判断をユーザが入力するための前記操作画面の表示が自動的に行われるモードを備えたことを特徴とする請求項２、３、７〜９のうちのいずれか１の画像処理装置。
【請求項１１】
前記送出手段による画像の送出を指示する操作が行われると、前記顔画像検出手段により検出された各顔画像に対して前記表示手段によりマスク処理を施すか否かの判断をユーザが入力するための操作画面の表示が行われるモードを備えたことを特徴とする請求項２、３、７〜９のうちのいずれか１の画像処理装置。
【請求項１２】
前記画像取込手段により取り込まれる画像が複数のフレーム画像からなる動画である場合に、前記表示手段は、前記顔画像検出手段により新しい人物の顔画像が登場するフレーム画像に対する前記操作画面を順次表示することを特徴とする請求項２、３、７〜１１のうちのいずれか１の画像処理装置。
【請求項１３】
前記表示手段は、前記操作画面として新しく登場する人物の顔画像を、該人物が写っているフレーム画像の数に応じた大きさ、又は、濃さにより表示することを特徴とする請求項１２の画像処理装置。
【請求項１４】
前記表示手段は、前記操作画面として前記顔画像検出手段により検出された顔画像を一覧表示することを特徴とする請求項２、３、７〜１３のうちのいずれか１の画像処理装置。
【請求項１５】
前記画像取込手段により取り込まれる画像が複数のフレーム画像からなる動画である場合に、前記表示手段は、前記操作画面として前記顔画像検出手段により検出された各顔画像を同一人物の顔画像が写っているフレーム画像の数を添えて表示することを特徴とする請求項２、３、７〜１４のうちのいずれか１の画像処理装置。
【請求項１６】
前記画像取込手段により取り込まれる画像が複数のフレーム画像からなる動画である場合に、前記表示手段は、前記操作画面として前記顔画像検出手段により検出された同一人物の顔画像のうち最も正面を向いている顔画像を表示することを特徴とする請求項１４の画像処理装置。
【請求項１７】
前記画像取込手段により取り込まれる画像が複数のフレーム画像からなる動画である場合に、前記表示手段は、前記操作画面として前記顔画像検出手段により検出された同一人物の各顔画像のうち最も面積が大きい顔画像を表示することを特徴とする請求項１４の画像処理装置。
【請求項１８】
マスク処理が施されていない前記画像取込手段により取り込まれた画像を保存用メモリに保存することを特徴とする請求項１〜１７のうちのいずれか１の画像処理装置。
【手続補正２】
【補正対象書類名】明細書
【補正対象項目名】０００８
【補正方法】変更
【補正の内容】
【０００８】
前記目的を達成するために、請求項１に記載の画像処理装置は、画像を取り込む画像取込手段と、前記画像取込手段により取り込まれた画像内から人物の顔画像を検出する顔画像検出手段と、前記顔画像検出手段により検出された各顔画像の撮影構図上の重要性の評価、又は、同一人物が写っている他の画像の数に基づいて、該各顔画像に対してマスク処理を施すか否かを判断する自動マスク判断手段と、前記画像取込手段により取り込まれた画像に対して、前記自動マスク判断手段によりマスク処理を施すと判断された顔画像の領域にマスク処理を施した画像を外部機器に送出し、又は、前記画像取込手段により取り込まれた画像、及び、前記自動マスク判断手段によりマスク処理を施すと判断された顔画像の領域を示す情報を外部機器に送出する送出手段と、を備えたことを特徴としている。